(57)【要約】【課題】情報記録再生方法及び磁気記憶装置において、磁気記録媒体の面記録密度と磁気ヘッドのシーク速度を向上することを目的とする。【解決手段】磁気ヘッドにより、磁気記録媒体上の一方向に沿って２種類以上の周波数帯域で記録されたサーボ情報を、磁気記録媒体の磁性層を形成する上層記録層及び下層記録層のうち、上層記録層より高い保磁力を有すると共に前記記録層より磁気ヘッドからの距離が離れている前記下層記録層から再生し、再生されたサーボ情報から検知された磁気ヘッドの磁気記録媒体上の位置に基づき、ヘッド駆動部により前記磁気ヘッドを前記磁気記録媒体上の目標位置までシークさせ、磁気ヘッドにより、磁気記録媒体上の前記位置から前記上層記録層にデータを記録または前記データを再生するように構成する。【選択図】図８
2014035777.tif 000002
【特許請求の範囲】
【請求項１】
磁気ヘッドにより、磁気記録媒体上の互いに略直交する２方向の少なくとも一方の方向に沿って２種類以上の周波数帯域で記録されたサーボ情報を、前記磁気記録媒体の磁性層を形成する上層記録層及び下層記録層のうち、前記上層記録層より高い保磁力を有すると共に前記上層記録層より前記磁気ヘッドからの距離が離れている前記下層記録層から再生し、
再生された前記サーボ情報から検知された前記磁気ヘッドの前記磁気記録媒体上の位置に基づき、ヘッド駆動部により前記磁気ヘッドを前記磁気記録媒体上の目標位置までシークさせ、
前記磁気ヘッドにより、前記磁気記録媒体上の前記目標位置から前記上層記録層にデータを記録または前記データを再生する
ことを特徴とする情報記録再生方法。
【請求項２】
前記データを、前記サーボ情報の前記２種類以上の周波数帯域とは異なる周波数帯域で記録することを特徴とする請求項１記載の情報記録再生方法。
【請求項３】
前記サーボ情報は前記下層記録層に連続的に記録され、
前記磁気記録媒体の表面に対して垂直方向に見た平面視において、前記サーボ情報が記録されている前記下層記録層の領域は前記データが記録再生される前記上層記録層の領域と重なっていることを特徴とする請求項１または２記載の情報記録再生方法。
【請求項４】
前記磁気記録媒体は磁気ディスクであり、
前記略直交する２方向は前記磁気ディスクの半径方向及び円周方向であり、
前記サーボ情報は、前記半径方向に沿って２種類以上の周波数帯域で前記下層記録層に記録されており、
前記シークは、前記磁気ヘッドの前記半径方向の位置付けを、前記２種類以上の周波数帯域で前記下層記録層に記録されたサーボ情報を用いて行う
ことを特徴とする請求項１乃至３のいずれか１項記載の情報記録再生方法。
【請求項５】
前記磁気記録媒体は磁気ディスクであり、
前記略直交する２方向は前記磁気ディスクの半径方向及び円周方向であり、
前記サーボ情報は、前記円周方向に沿って２種類以上の周波数帯域で前記下層記録層に記録されており、
前記シークは、前記磁気ヘッドの前記円周方向の位置付けを、前記２種類以上の周波数帯域で前記下層記録層に記録されたサーボ情報を用いて行う
ことを特徴とする請求項１乃至３のいずれか１項記載の情報記録再生方法。
【請求項６】
磁気記録媒体の磁性層に対する信号の記録及び再生を行う機能を有する磁気ヘッドと、
前記磁気ヘッドを前記磁気記録媒体上の互いに略直交する２方向に沿って移動するヘッド駆動部と、
前記磁気ヘッドからの再生信号を周波数帯域に基づきデータとサーボ情報に分離する分離手段と、
再生された前記サーボ情報から検知された前記磁気ヘッドの前記磁気記録媒体上の位置に基づき、前記ヘッド駆動部を制御して前記磁気ヘッドを前記磁気記録媒体上の目標位置までシークさせる制御手段
を備え、
前記磁性層は、前記データが記録再生される上層記録層と、前記上層記録層より高い保磁力を有すると共に前記上層記録層より前記磁気ヘッドからの距離が離れており前記２方向の少なくとも一方の方向に沿って２種類以上の周波数帯域で前記サーボ情報が記録されている下層記録層を含み、
前記磁気ヘッドは、前記磁気記録媒体上の前記目標位置から前記上層記録層にデータを記録または前記データを再生する
ことを特徴とする磁気記憶装置。
【請求項７】
前記サーボ情報の前記２種類以上の周波数帯域とは異なる周波数帯域で記録するデータを前記磁気ヘッドに供給する信号処理系を更に備えたことを特徴とする請求項６記載の磁気記憶装置。
【請求項８】
前記サーボ情報は前記下層記録層に連続的に記録され、
前記磁気記録媒体の表面に対して垂直方向に見た平面視において、前記サーボ情報が記録されている前記下層記録層の領域は前記データが記録再生される前記上層記録層の領域と重なっていることを特徴とする請求項６または７記載の磁気記憶装置。
【請求項９】
前記磁気記録媒体は磁気ディスクであり、
前記略直交する２方向は前記磁気ディスクの半径方向及び円周方向であり、
前記下層記録層には、前記サーボ情報が前記半径方向に沿って２種類以上の周波数帯域で記録されており、
前記制御手段は、前記シークにより、前記磁気ヘッドの前記半径方向の位置付けを、前記２種類以上の周波数帯域で前記下層記録層に記録されたサーボ情報を用いて行うように前記ヘッド駆動部を制御する
ことを特徴とする請求項６乃至８のいずれか１項記載の磁気記憶装置。
【請求項１０】
前記磁気記録媒体は磁気ディスクであり、
前記略直交する２方向は前記磁気ディスクの半径方向及び円周方向であり、
前記下層記録層には、前記サーボ情報が前記円周方向に沿って２種類以上の周波数帯域で記録されており、
前記制御手段は、前記シークにより、前記磁気ヘッドの前記円周方向の位置付けを、前記２種類以上の周波数帯域で前記下層記録層に記録されたサーボ情報を用いて行うように前記ヘッド駆動部を制御する
ことを特徴とする請求項６乃至８のいずれか１項記載の磁気記憶装置。
【発明の詳細な説明】
【技術分野】
【０００１】
本発明は、情報記録再生方法及び磁気記憶装置に関する。
【背景技術】
【０００２】
近年、ハードディスク装置（ＨＤＤ：Hard Disk Drive）などの磁気記憶装置の適用範囲は増大しており、磁気記憶装置の重要性が増している。また、磁気記憶装置が用いる磁気記録媒体の面記録密度（または、単位面積当たりの情報記録容量）を向上する様々な方法も提案されている。特に、ＭＲ（Magneto Resistive）ヘッド及びＰＲＭＬ（Partial Response Maximum Likelihood）技術が導入されてから、磁気記録媒体の面記録密度は著しく向上されている。更に、ＧＭＲ（Giant Magneto Resistive）ヘッド、ＴＭＲ(Tunneling Magneto Resistive）ヘッドなどが導入され、磁気記録媒体の面記録密度は例えば１年に約５０％といったペースで増加を続けており、面記録密度の更なる向上が求められている。線記録密度の増加と同時にトラック密度を増加することで磁気記録媒体の面記録密度を向上する方法も提案されている。
【０００３】
例えばＨＤＤでは、磁気ディスクの面記録密度の向上と共に、磁気ヘッドの磁気ディスク上の目標位置までのシーク速度を高めることが求められている。しかし、従来の磁気ディスクでは、磁気ディスクの表面に対して垂直方向に見た平面視において、サーボ情報が記録されている領域と、情報（以下、データとも言う）が記録再生される領域とは互いに重ならない別々の領域に設けられている。磁気ヘッドは、再生したサーボ情報から自己の磁気ディスク上の位置を検知し、検知した位置に基づきデータが記録再生される目標位置まで磁気ヘッドを移動することで、データの記録再生を行う。このため、従来の磁気ディスクでは、平面視において、サーボ情報が記録されている領域が記録面の比較的大きな部分を占め、磁気ディスクにデータを記録再生する際の面記録密度を向上することは難しい。また、磁気ヘッドは、サーボ情報が記録されている領域からサーボ情報を再生して自己の位置を検知しながら、サーボ情報が記録されている領域とは独立しておりデータが記録再生される領域（即ち、サーボ情報が記録されていない領域）の目標位置までシークを行うため、シーク速度を向上することは難しい。
【先行技術文献】
【特許文献】
【０００４】
【特許文献１】特開２００３−２２８８０１号公報
【発明の概要】
【発明が解決しようとする課題】
【０００５】
従来、磁気記録媒体の面記録密度の向上と磁気ヘッドのシーク速度の向上を両立させることは難しい。
【０００６】
そこで、本発明は、磁気記録媒体の面記録密度と磁気ヘッドのシーク速度を向上可能な情報記録再生方法及び磁気記憶装置を提供することを目的とする。
【課題を解決するための手段】
【０００７】
本発明の一観点によれば、磁気ヘッドにより、磁気記録媒体上の互いに略直交する２方向の少なくとも一方の方向に沿って２種類以上の周波数帯域で記録されたサーボ情報を、前記磁気記録媒体の磁性層を形成する上層記録層及び下層記録層のうち、前記上層記録層より高い保磁力を有すると共に前記上層記録層より前記磁気ヘッドからの距離が離れている前記下層記録層から再生し、再生された前記サーボ情報から検知された前記磁気ヘッドの前記磁気記録媒体上の位置に基づき、駆動手段により前記磁気ヘッドを前記磁気記録媒体上の目標位置までシークさせ、前記磁気ヘッドにより、前記磁気記録媒体上の前記目標位置から前記上層記録層にデータを記録または前記データを再生する情報記録再生方法が提供される。
【発明の効果】
【０００８】
情報記録再生方法及び磁気記憶装置によれば、磁気記録媒体の面記録密度と磁気ヘッドのシーク速度を向上することが可能となる。
【図面の簡単な説明】
【０００９】
【図１】従来の磁気ディスクの一例を説明する平面図である。
【図２】本発明の一実施形態で用いる磁気記録媒体のサーボ情報領域の一例を説明する図である。
【図３】円周方向で異なる周波数帯域で記録されたサーボ情報の一例を模式的に示す図である。
【図４】磁気記録媒体の一例として磁気ディスクを示す平面図である。
【図５】半径方向及び円周方向で異なる周波数帯域で記録されたサーボ情報の一例を説明する図である。
【図６】本発明の一実施例における磁気記録媒体の一例の一部を示す断面図である。
【図７】本発明の一実施例における磁気記憶装置の一例の一部を示す斜視図である。
【図８】磁気記憶装置の一部を示すブロック図である。
【発明を実施するための形態】
【００１０】
上層部と下層部を有する記録層のうち、保磁力の高い方の下層部のサーボ信号領域にサーボ信号を記録する方法が提案されている（例えば、特許文献１）。しかし、この提案方法では、磁気ディスクの表面に対して垂直方向に見た平面視において、サーボ情報が記録されている下層部の領域と、情報（以下、データとも言う）が記録再生される上層部の領域とは互いに重ならない別々の領域に設けられているので、磁気ディスクにデータを記録再生する際の面記録密度を向上することは難しい。また、磁気ヘッドは、サーボ情報が記録されている領域からサーボ情報を再生して自己の位置を検知しながら、サーボ情報が記録されている領域とは独立しておりデータが記録再生される領域（即ち、サーボ情報が記録されていない領域）の目標位置までシークを行うため、シーク速度を向上することは難しい。
【００１１】
図１は、従来の磁気ディスクの一例を説明する平面図である。図１（ａ）は、磁気ディスク全体を示す模式図であり、図１（ｂ）は、図１（ａ）において矩形で示した磁気ディスクの一部の領域のみを拡大して示す拡大模式図である。
【００１２】
図１に示す磁気ディスク４０は、円盤状の基板の一方の表面に、データの記録再生を行うデータ領域４１と、サーボ情報が記録されたサーボ情報領域４２を有する。図１（ａ）において、磁気ディスク４０の中心から放射状に延びる線で示された領域がサーボ情報領域４２に相当し、放射状の線と線との間の領域がデータ領域４１に相当する。
【００１３】
図１（ｂ）に示すように、データ領域４１は、データの記録再生が行われる複数のデータ記録トラック４１ａを有する。複数のデータ記録トラック４１ａは、円環状の規則的な形状を有し、例えば同心円状、或いは、螺旋状に形成されていても良い。
【００１４】
図１（ｂ）に示すように、サーボ情報領域４２は、バースト情報領域４３、アドレス情報領域４４、及びプリアンブル情報領域４５を有する。図１（ｂ）中、矢印は磁気ヘッド（図示せず）の磁気ディスク４０に対する走査方向を示す。
【００１５】
バースト情報領域４３には、磁気ヘッドを磁気記録トラック４１ａの中央に位置付けさせるためのバースト情報の一例であるバーストパターン４３ａが形成されている。バーストパターン４３ａは、隣接する磁気記録トラック４１ａ間に設けられた例えば細かなドットパターンである。
【００１６】
アドレス情報領域４４には、データ領域４１の番地を示すトラック情報及びセクタ情報を含むアドレス情報の一例であるアドレスパターン４４ａが形成されている。アドレスパターン４４ａは、例えばデータ記録トラック４１ａと直交する方向に延在する不規則な線状のパターンである。
【００１７】
プリアンブル情報領域４５には、磁気記録トラック４１ａ内でデータ領域４１からサーボ情報領域４２に移る箇所の識別に用いられるプリアンブル情報の一例であるプリアンブルパターン４５ａが形成されている。プリアンブルパターン４５ａは、プリアンブル情報領域４５を形成する磁性層で形成されており、例えばデータ記録トラック４１ａと直交する方向に延在する長さの揃った線状のパターンである。
【００１８】
図１（ａ）に示す磁気ディスク４０では、表面上を円周方向に移動する磁気ヘッドが、プリアンブル情報領域４５のプリアンブル情報を再生してアドレス情報を再生する準備をし、サーボ情報領域４２において、データ領域４１のアドレス情報を再生し、同一円周上に設けられたバースト情報領域４３のバースト情報を再生してトラック位置の微調整を可能とし、その後、データ領域４１においてデータの記録再生を行うことができる。
【００１９】
これに対し、本発明の一実施形態では、磁気記録媒体の磁性層を、上層記録層と、上層記録層より保磁力の高い下層記録層で形成し、サーボ情報は下層記録層に記録し、データは上層記録層に記録する。サーボ情報は、磁気記録媒体上の互いに略直交する２方向の少なくとも一方の方向に沿って２種類以上の周波数帯域で記録されている。磁気ディスクの場合、サーボ情報は磁気ディスクの半径方向及び／または円周方向に沿って、２種類以上の周波数帯域で記録されている。そして、この２種類以上の周波数帯域は、データ領域における情報が記録された周波数帯域と異なるため、磁気記録媒体の表面（記録面）に対して垂直方向に見た平面視において、サーボ情報とデータが重なる領域に記録されていても、サーボ情報とデータを同時に再生する磁気ヘッドが出力する再生信号から分離可能となる。サーボ情報とデータは、例えば異なる周波数帯域のアンプ、フィルタ、信号解析の処理などにより磁気ヘッドが出力する再生信号から分離しても良い。記録再生（または、リード・ライト）時に磁気ヘッドを磁気記録媒体上の目標位置へ移動するシークは、磁気ヘッドの半径方向及び／または円周方向の位置付けを、２種類以上の周波数帯域で下層記録層に記録されたサーボ情報を用いて行う。データを上層記録層の略全面に記録可能であるため、磁気記録媒体の面記録密度を向上することができ、磁気ヘッドのシーク速度の向上を図ることもできる。
【００２０】
図２は、本発明の一実施形態で用いる磁気記録媒体のサーボ情報領域の一例を説明する図である。図２は、磁気記録媒体の一例として磁気ディスク１を示す。本実施形態では、サーボ情報を磁気ディスク１の半径方向に互いに異なる２種類以上の周波数帯域で記録し、磁気ヘッドの半径方向の位置付けをこの２種類以上の周波数帯域で記録されたサーボ情報を用いて行うことができる。図２に示す例では、サーボ情報は磁気ディスク１の半径方向に２種類の周波数帯域で記録されているものとする。
【００２１】
図２（ａ）は、磁気ディスク１の２種類の周波数帯域Ａ，Ｂのサーボ情報が記録されているサーボ情報領域１１−Ａ，１１−Ｂを示す平面図であり、図２（ｂ）は、図２（ａ）の一部を拡大して示す平面図である。サーボ情報領域１１−Ａ，１１−Ｂとデータが記録再生される磁気記録トラックとの位置関係を模式的に示す。
【００２２】
図２（ａ）に示すように、サーボ情報は、磁気ディスク１の半径方向に２種類の周波数帯域Ａ，Ｂを用いて下層記録層に交互に記録されている。これに対し、磁気ディスク１の上層記録層に対して記録再生されるデータは、図２（ｂ）に示すように、磁気ディスク１の表面に対して垂直方向に見た平面視において、半径方向に記録された２種類の周波数帯域Ａ，Ｂのサーボ情報の間で記録再生される。なお、磁気ヘッドの再生素子と記録素子はヘッドスライダにおいて分離しているため、磁気ディスク１の平面視で、サーボ情報の位置とデータの位置がずれる場合もある。
【００２３】
上記の如く、サーボ情報は磁気ディスク１の下層記録層に、データは上層記録層に対して記録再生される。従って、データが上層記録層に記録されている場合、下層記録層に記録されたサーボ情報と上層記録層に記録されたデータの両情報は、磁気ディスク１の平面視で重なって記録されているが、サーボ情報とデータは互いに異なる周波数帯域で記録されているため、異なる周波数帯域のアンプ、信号解析の処理などにより磁気ヘッドが出力する再生信号から分離することができる。
【００２４】
例えば、サーボ情報の２種類の周波数帯域は、０〜７０ＭＨｚの範囲内の重ならない周波数帯域とすることが好ましく、記録再生されるデータの周波数帯域は、５０ＭＨｚ〜１５０ＭＨｚの範囲内のサーボ情報の周波数帯域と重ならない周波数帯域とすることが好ましい。このようなサーボ情報及びデータの周波数帯域の範囲は、サーボ情報に２種類以上の周波数帯域を用いる場合にも利用可能である。なお、サーボ情報及びデータの周波数帯域とは、ＨＤＤ（または、磁気記憶装置）の磁気ディスク１を走査する磁気ヘッド１から出力される信号の周波数帯域、及び磁気ヘッドを用いて磁気ディスク１にデータを記録する際の信号の周波数帯域を指す。
【００２５】
サーボ情報は、図１と共に説明した従来のサーボ情報と同様に、バースト情報、アドレス情報、プリアンブル情報を含む構成とすることが好ましい。サーボ情報の構成を従来ののサーボ情報と同様の構成とすることで、従来のＨＤＤで採用されているのと同様の方法により、磁気ディスク１上の目標位置に磁気ヘッドを位置付けるシークを行い、目標位置からデータの記録再生を行うことができる。
【００２６】
サーボ情報を用いた磁気ヘッドの半径方向の位置付けは、２種類以上の周波数帯域で記録されたサーボ情報の信号強度比を用いて行うことができる。図２の例の場合、磁気ディスク１の半径方向に記録された２種類の周波数帯域Ａ，Ｂのサーボ情報の信号強度が略同じとなるように磁気ヘッドの位置を制御することで、磁気ヘッドを２種類の周波数帯域Ａ，Ｂで記録されサーボ情報領域１１−Ａ，１１−Ｂの中間（または、中央）に位置付けることができる。即ち、図２（ｂ）において、周波数帯域Ａのサーボ情報の信号強度に対して周波数帯域Ｂのサーボ情報の信号強度が強い場合は、磁気ヘッドを半径方向で周波数帯域Ａのサーボ情報が記録されたサーボ情報領域１１−Ａ側に移動させる。一方、周波数帯域Ａのサーボ情報の信号強度に対して周波数帯域Ｂのサーボ情報の信号強度が弱い場合は、磁気ヘッドを半径方向で周波数帯域Ｂのサーボ情報が記録されたサーボ情報領域１１−Ｂ側に移動させる。このようにして、周波数帯域Ａのサーボ情報の信号強度及び周波数帯域Ｂのサーボ情報の信号強度が略同じになるように、磁気ディスク１上の磁気ヘッドの半径方向上の位置を目標位置へ制御する。
【００２７】
次に、本発明の一実施形態で用いる磁気記録媒体のサーボ情報領域の詳細を、図３及び図４と共に説明する。図３は、円周方向で異なる周波数帯域で記録されたサーボ情報の一例を模式的に示す図であり、図４は、磁気記録媒体の一例として磁気ディスクを示す平面図である。本実施形態では、サーボ情報を磁気ディスク１の円周方向に互いに異なる２種類以上の周波数帯域で記録し、磁気ヘッドの円周方向の位置付けをこの２種類以上の周波数帯域で記録されたサーボ情報を用いて行うことができる。図３に示す例では、サーボ情報は磁気ディスク１の円周方向に３種類の周波数帯域で記録されているものとする。
【００２８】
図３は、図４に示す磁気ディスク１における四角で囲った領域４００内のサーボ情報のパターンを模式的に示す図である。なお、図３中、矢印は磁気ヘッドの走査方向を示す。図３に示すサーボ情報は、磁気ディスク１の円周方向に沿って互いに異なる周波数帯域Ａ，Ｂ，Ｃで記録されている。このような周波数帯域Ａ，Ｂ，Ｃでのサーボ情報の記録がこの順番で磁気ディスク１の円周方向に沿って繰り返される。
【００２９】
このように、サーボ情報は、磁気ディスク１の円周方向に沿って３種類の周波数帯域Ａ，Ｂ，Ｃを用いて下層記録層に順に記録されている。これに対し、記録再生されるデータは、磁気ディスク１の表面に対して垂直方向に見た平面視において、円周方向に記録された３種類の周波数帯域Ａ，Ｂ，Ｃのサーボ情報と重なる領域で上層記録層に対して記録再生される。
【００３０】
上記の如く、サーボ情報は磁気ディスク１の下層記録層に、データは上層記録層に対して記録再生される。従って、データが上層記録層に記録されている場合、下層記録層に記録されたサーボ情報と上層記録層に記録されたデータの両情報は、磁気ディスク１の平面視で重なって記録されているが、サーボ情報とデータは互いに異なる周波数帯域で記録されているため、異なる周波数帯域のアンプ、信号解析の処理などにより磁気ヘッドが出力する再生信号から分離することができる。
【００３１】
例えば、サーボ情報の３種類の周波数帯域は、０〜７０ＭＨｚの範囲内の重ならない周波数帯域とすることが好ましく、記録再生されるデータの周波数帯域は、５０ＭＨｚ〜１５０ＭＨｚの範囲内のサーボ情報の周波数帯域と重ならない周波数帯域とすることが好ましい。このようなサーボ情報及びデータの周波数帯域の範囲は、サーボ情報に２種類以上の周波数帯域を用いる場合にも利用可能である。
【００３２】
図３において、各周波数帯域Ａ，Ｂ，Ｃで記録されたサーボ情報は、夫々プリアンブル（Preamble）、サーボアドレスマーク（ＳＡＭ：Servo Address Mark）部、グレイ（Gray）コード部、及びバースト部（Positioning (Null A), Positioning (Null B)）を有する。図３中、矢印は磁気ヘッドの磁気ディスク１に対する走査方向を示す。プリアンブル部には、例えば磁気ディスク１から再生された信号の振幅を安定化する自動利得制御（ＡＧＣ：Automatic Gain Control）などに用いられる一定の周波数の信号が記録されている。サーボアドレスマーク部には、例えば記録されているサーボ情報を識別する識別用の固有マークが記録されている。グレイコード部には、例えばそのグレイコード部が記録されたサーボフレームに固有のアドレス（例えば、サーボセクタアドレス）及び該当するトラックのアドレス（例えば、トラックコード）がグレイコードで記録されている。バースト部には、例えばグレイコード部に記録されたアドレスが示すトラック内の位置誤差を示すための位置誤差信号がバーストデータとして記録されている。
【００３３】
サーボ情報は、図１と共に説明した従来のサーボ情報と同様に、図３に示すようにプリアンブル情報、アドレス情報、及びバースト情報を含む構成とすることが好ましい。サーボ情報の構成を従来ののサーボ情報と同様の構成とすることで、従来のＨＤＤで採用されているのと同様の方法により、磁気ディスク１上の目標位置に磁気ヘッドを位置付けるシークを行い、目標位置からデータの記録再生を行うことができる。
【００３４】
磁気ヘッドは、磁気ディスク１の円周方向に沿って繰り返される周波数帯域Ａ，Ｂ，Ｃで記録されたサーボ情報を再生することで、再生されたサーボ情報の周波数帯域に基づいて磁気ヘッドの円周方向の位置付けを行うことができる。磁気ディスク１上の磁気ヘッドの円周方向上の位置を目標位置へ制御することで、磁気ディスク１上の目標位置に磁気ヘッドを位置付けるシークを行い、目標位置からデータの記録再生を行うことができる。
【００３５】
図５は、半径方向及び円周方向で異なる周波数帯域で記録されたサーボ情報を説明する図である。図５（ａ）は、半径方向及び円周方向で異なる周波数帯域で記録されたサーボ情報の一例を拡大して模式的に示す図である。図５（ａ）は、図４に示す磁気ディスク１における四角で囲った領域４００内のサーボ情報のパターンの一部を示す。図５（ａ）中、図３と同一部分には同一符号を付し、その説明は省略する。本実施形態では、サーボ情報を磁気ディスク１の円周方向に加え、半径方向にも互いに異なる２種類以上の周波数帯域で記録し、磁気ヘッドの円周方向及び半径方向の位置付けをこの２種類以上の周波数帯域で記録されたサーボ情報を用いて行うことができる。図５（ａ）に示す例では、周波数帯域Ａ，Ｂ，Ｃでのサーボ情報の記録がこの順番で磁気ディスク１の円周方向に沿って繰り返され、更に半径方向に沿って繰り返されるものとするが、便宜上周波数帯域Ａで記録したサーボ情報のみを示す。
【００３６】
図５（ａ）中、横方向の実線で囲まれた領域はデータが記録再生される上層記録層のデータ領域であり、データ領域の中央の一点鎖線は磁気記録トラックの中央であるトラックセンタを示す。また、図５（ａ）に示す磁気ヘッド８２（または、磁気ヘッド８２の再生素子）は、このトラックセンタ上を図５（ａ）中、左から右方向（図４中、矢印の方向）に走査する。
【００３７】
ここで、図５（ａ）において梨地で示す領域をＮ極で記録された領域、白地で示す領域をＳ極で記録された領域とし、磁気ヘッド８２がこれらの領域を横切った場合、Ｎ極の領域からは正の信号、Ｓ極の領域からは負の信号が再生されるものとする。この場合、図５（ａ）に示す磁気ヘッド８２がバースト部のNull Aの領域を横切ると、図５（ｂ）の左側に示すように一点鎖線の上側のパターンからの再生信号（太い実線）と、一点鎖線の下側のパターンからの再生信号（細い実線）とが打ち消し合い、再生信号はゼロになる。これに対し、バースト部のNull Bの領域では、図５（ｂ）の右側に示すように、このような再生信号の打ち消し合いが生じない。そこで、磁気ヘッド８２が走査したバースト部のNull Aの領域及びNull Bの領域からの再生信号の信号強度差（または、レベル差）を用いることで、磁気ディスク１上で磁気ヘッド８２の円周方向の位置付けを行うことができる。また、図５（ａ）において、磁気ヘッド８２が一点鎖線上から僅かに上側にずれると、一点鎖線上側のパターンからの再生信号（太い実線）が強くなり、一方で、一点鎖線下側のパターンからの再生信号（細い実線）が弱くなり、磁気ヘッド８２が一点鎖線上を走査する場合とは別の周波数域のサーボ情報が表れる。磁気ヘッド８２が一点鎖線上から僅かに下側にずれると、一点鎖線上側のパターンからの再生信号（太い実線）が弱くなり、一方で、一点鎖線下側のパターンからの再生信号（細い実線）が強くなり、両者の重ね合わせにより、図５（ｃ）に示すような磁気ヘッド８２が一点鎖線上を走査する場合とは別の周波数帯域のサーボ情報が表れる。従って、一点鎖線上側のパターンからの再生信号（太い実線）と、一点鎖線下側のパターンからの再生信号（細い実線）の信号強度が略同じになるように、即ち、再生信号の信号強度差を用いることで、磁気ディスク１上で磁気ヘッド８２の半径方向の位置付けを行うことができる。
【００３８】
本実施形態において、サーボ情報は、磁気ディスク１の下層記録層に連続的に記録されることが好ましい。従来、サーボ情報は磁気ディスクの平面視で断続的に記録されているが、本実施形態では、サーボ情報はデータが記録再生される上層記録層とは別の下層記録層に記録されているため、磁気ディスク１の円周方向（または、トラック方向）に連続的に記録することが可能である。サーボ情報が連続的に記録されている場合、従来に比べて磁気ヘッドの位置制御及びシークを高速に行うことが可能であり、また、磁気ヘッドの位置制御が随時行われるため、磁気ヘッドの位置制御が一時的に不能となる不都合が発生しにくく、安定性の高い記録再生が提供可能となる。
【００３９】
（磁気ディスク）
図６は、本発明の一実施例における磁気記録媒体の一例の一部を示す断面図である。図６における各層の膜厚は、実際の寸法に比例した縮尺で図示したものではない。磁気ディスク１は、磁気記録媒体の一例である。
【００４０】
磁気ディスク１は、図６に示すように、例えば非磁性基板１１の上に、軟磁性下地層１２、第１の配向制御層１３、第２の配向制御層１４、下層記録層１５−１、非磁性層１６、上層記録層１５−２、保護層１７を順次積層し、保護層１７上に潤滑膜１８を設けた構造を有する。この例では、非磁性層１６を挟む上層記録層１５−２及び下層記録層１５−１が垂直磁性層１５を形成する。
【００４１】
非磁性基板１１は、ＣｏまたはＦｅが主成分の軟磁性下地層１２と接することで、表面の吸着ガスや、水分の影響、基板成分の拡散などにより、腐食する可能性がある。このような腐食を防止する観点からは、非磁性基板１１と軟磁性下地層１２の間に密着層（図示せず）を設けることが好ましい。なお、密着層は、例えばＣｒ、Ｃｒ合金、Ｔｉ、Ｔｉ合金などで形成可能である。また、密着層の膜厚は、例えば２ｎｍ（２０Å）以上であることが好ましい。
【００４２】
軟磁性下地層１２は、後述する磁気記憶装置の磁気ヘッドから発生する磁束の非磁性基板１１の基板面に対する垂直方向成分を大きくし、情報が記録される垂直磁性層１５の磁化の方向をより強固に基板面と垂直な方向に固定するために設けられる。このような軟磁性下地層１２の作用は、特に記録再生用の磁気ヘッドとして垂直記録用の単磁極ヘッドを用いる場合に、より顕著となる。
【００４３】
軟磁性下地層１２は、例えばＦｅ、または、Ｎｉ、Ｃｏなどを含む軟磁性材料で形成可能である。軟磁性材料は、例えばＣｏＦｅＴａＺｒ、ＣｏＦｅＺｒＮｂなどのＣｏＦｅ系合金、ＦｅＣｏ、ＦｅＣｏＶなどのＦｅＣｏ系合金、ＦｅＮｉ、ＦｅＮｉＭｏ、ＦｅＮｉＣｒ、ＦｅＮｉＳｉなどのＦｅＮｉ系合金、ＦｅＡｌ、ＦｅＡｌＳｉ、ＦｅＡｌＳｉＣｒ、ＦｅＡｌＳｉＴｉＲｕ、ＦｅＡｌＯなどのＦｅＡｌ系合金、ＦｅＣｒ、ＦｅＣｒＴｉ、ＦｅＣｒＣｕなどのＦｅＣｒ系合金、ＦｅＴａ、ＦｅＴａＣ、ＦｅＴａＮなどのＦｅＴａ系合金、ＦｅＭｇＯなどのＦｅＭｇ系合金、ＦｅＺｒＮなどのＦｅＺｒ系合金、ＦｅＣ系合金、ＦｅＮ系合金、ＦｅＳｉ系合金、ＦｅＰ系合金、ＦｅＮｂ系合金、ＦｅＨｆ系合金、ＦｅＢ系合金などを含む。
【００４４】
軟磁性下地層１２は、例えば２層の軟磁性膜（図示せず）から構成されており、２層の軟磁性膜の間にはＲｕ膜（図示せず）を設けることが好ましい。Ｒｕ膜の膜厚を０．４〜１．０ｎｍ、または、１．６〜２．６ｎｍの範囲で調整することで、２層の軟磁性膜が反強磁性結合（ＡＦＣ：Anti-Ferromagnetically-Coupled）構造を形成し、所謂スパイクノイズを抑制することができる。
【００４５】
また、第１の配向制御層１３と垂直磁性層１５の間には、第２の配向制御層１４を設けることが好ましい。この場合、第１の配向制御層１３の直上にある垂直磁性層１５の初期部には、結晶成長の乱れが生じ易く、この結晶成長の乱れがノイズの原因となり得る。この垂直磁性層１５の初期部の結晶成長が乱れた部分を第２の配向制御層１４で補償することで、ノイズの発生を抑制できる。
【００４６】
第２の配向制御層１４を形成する材料は特に限定されないが、六方最密充填（ｈｃｐ：hexagonal close-packed）構造、面心立方格子（ｆｃｃ：face-centered cubic）構造、またはアモルファス（amorphous）構造を有するものを用いることが好ましい。第２の配向制御層１４は、Ｒｕ系合金、Ｎｉ系合金、Ｃｏ系合金、Ｐｔ系合金、Ｃｕ系合金などで形成することが好ましく、ＲｕまたはＲｕを主成分とする合金で形成することが更に好ましい。また、第２の配向制御層１４の膜厚は、例えば５ｎｍ以上、且つ、３０ｎｍ以下とすることが好ましい。
【００４７】
垂直磁性層１５を形成する下層記録層１５−１及び上層記録層１５−２は、例えばＣｏを主成分とし、酸化物を含む材料で形成可能であり、酸化物は例えばＣｒ、Ｓｉ、Ｔａ、Ａｌ、Ｔｉ、Ｍｇ、Ｃｏなどであることが好ましい。酸化物は、ＴｉＯ２、Ｃｒ２Ｏ３、ＳｉＯ２などであることが更に好ましい。また、上層記録層１５−２は、酸化物を２種類以上添加した複合酸化物で形成することが好ましい。上層記録層１５−２は、Ｃｒ２Ｏ３−ＳｉＯ２、Ｃｒ２Ｏ３−ＴｉＯ２、Ｃｒ２Ｏ３−ＳｉＯ２−ＴｉＯ２などで形成することが更に好ましい。
【００４８】
垂直磁性層１５の便宜上非磁性層１６を含む厚みは、例えば５ｎｍ〜２０ｎｍの範囲とすることが好ましい。垂直磁性層１５の厚みが上記範囲の下限未満であると、十分な再生出力が得られず、熱揺らぎ特性も低下する可能性がある。また、垂直磁性層１５の厚さが上記範囲の上限を超えると、垂直磁性層１５中の磁性粒子の肥大化が生じ、記録再生時におけるノイズが増大し、信号対雑音比（Ｓ／Ｎ比（Signal-to-Noise Ratio））や記録特性（ＯＷ：Over-Write特性）で表される記録再生特性が悪化する可能性がある。
【００４９】
また、垂直磁性層１５の上層記録層１５−１及び下層記録層１５−２間の非磁性層１６は、例えばＲｕ、Ｒｅ、Ｃｕ、ＣｏＣｒなどで形成可能である。
【００５０】
保護層１７は、垂直磁性層１５の腐食を防ぐと共に、磁気ヘッドが磁気ディスク１と接触したときに媒体表面の損傷または磁気ヘッド自体の損傷を防ぐために設けられ、公知の材料で形成可能である。保護層１７は、例えばＣ、ＳｉＯ２、ＺｒＯ２を含む材料で形成可能である。保護層１７の膜厚は、例えば１ｎｍ〜１０ｎｍとすることが、磁気ヘッドと磁気ディスク１との距離を小さくできるので、高記録密度を実現する観点から好ましい。
【００５１】
潤滑膜１８は、例えばパーフルオロポリエーテル、フッ素化アルコール、フッ素化カルボン酸などの潤滑剤で形成することが好ましい。
【００５２】
（ハードディスク装置）
図７は、本発明の一実施例における磁気記憶装置の一例の一部を示す斜視図である。図７に示すハードディスク装置（ＨＤＤ）５１は、磁気記憶装置の一例である。この例では、ＨＤＤ５１は磁気ディスク１にデータを記録再生可能な構成を有するが、データを記録する構成を有しても、データを再生する構成を有しても良い。
【００５３】
図７に示すＨＤＤ５１は、ハウジング（または、筐体）５２を有する。ハウジング５２内には、上記磁気ディスク１、磁気ディスク１を回転駆動させる媒体駆動部８１、磁気ディスク１に記録されたサーボ情報及びデータを再生すると共にデータを磁気ディスク１に記録する機能を有する磁気ヘッド８２、磁気ヘッド８２を磁気ディスク１に対して相対移動させるヘッド駆動部８３、及び信号処理系８４を有する。磁気ヘッド８２が磁気ディスク１を走査する際、下層記録層１５−１は、上層記録層１５−２より磁気ヘッド８２からの距離が離れている。つまり、磁気ヘッド８２は、磁気ディスク１の下層記録層１５−１よりも上層記録層１５−２の方に近い配置を有する。
【００５４】
磁気ヘッド８２には、記録素子と、再生素子としてトンネル磁気抵抗（ＴＭＲ）効果を利用したＴＭＲ素子などを有し、高記録密度に適した磁気ヘッドを用いることができる。ヘッド駆動部８３は、磁気ヘッド８２を磁気ディスク１の外周と内周間で移動するヘッド駆動用ボイスコイルモータ（ＶＣＭ：Voice Coil Motor）などのヘッド移動機構と、磁気ヘッド８２の磁気ディスク１から浮上量を制御するヘッド浮上量制御機構を含む。このようなヘッド駆動部８３自体は周知であるため、ヘッド駆動部８３の構造の図示及び説明は省略する。ヘッド浮上量制御機構は、例えばヘッドスライダに設けられた磁気ヘッド部分を熱膨張を用いてヘッド浮上量を可変する機構、電歪素子を用いてヘッド浮上量を可変する機構、ピエゾ素子を用いてヘッド浮上量を可変する機構などを用いることができる。
【００５５】
信号処理系８４は、記録信号処理回路と再生信号処理回路を有する。記録信号処理回路は、外部から入力されたデータを磁気ディスク１を記録するのに適した信号に処理した記録信号を磁気ヘッド８２に供給する。一方、再生信号処理回路は、磁気ヘッド８２が磁気ディスク１から再生した信号（即ち、データ及びサーボ情報）をヘッドアンプ部を介して入力し、データを外部に出力するのに適した信号に処理した再生信号を外部へ出力する。ヘッドアンプ部は、磁気ヘッド８２が磁気ディスク１から再生した信号をデータ及びサーボ情報に分離する分離手段の一例である。
【００５６】
図８は、磁気記憶装置の一部を示すブロック図である。図８に示すように、ＨＤＤ５１は、磁気ヘッド８２、ヘッドアンプ部１８３、ヘッド駆動用ＶＣＭ１８４、信号処理部８４、及び制御回路１８７を有する。磁気ヘッド８２は、磁気ディスク１に記録されたサーボ情報及びデータを再生する再生ヘッド８２−１と、データを磁気ディスク１に記録する記録ヘッド８２−２を有する。再生ヘッド８２−１は再生素子の一例であり、記録ヘッド８２−２は記録素子の一例である。ヘッドアンプ部１８３は、第１のヘッドアンプの一例であるサーボ情報用ヘッドアンプ１８３−１と、第２のヘッドアンプの一例である記録再生情報用ヘッドアンプ１８３−２を有する。図７に示すヘッド駆動部８３は、ヘッド駆動用ＶＣＭ１８４を含む。図７に示す信号処理部８４は、再生信号処理回路１８５及び記録信号処理回路１８６を有する。ヘッドアンプ部１８３、再生信号処理回路１８５、及び制御回路１８７は、磁気ヘッド８２の再生ヘッド８２−１からの信号を処理する第１の信号処理系の一例を形成する。一方、記録信号処理回路１８６は、磁気ヘッド８２の記録ヘッド８２−２への信号を処理する第２の信号処理系の一例を形成する。
【００５７】
ＨＤＤなどに用いられる磁気ディスクでは、サーボ情報の記録は１回限りであり、例えばＨＤＤの製造者が専用のＳＴＷを用いて行うのが一般的である。このようなＳＴＷ自体は周知である。この例では、このようなＳＴＷを用いて磁気ディスク１の保磁力の高い方の下層記録層１５−１にサーボ情報が記録されているものとする。データは、下層記録層１５−１と比べて保磁力の低い方の上層記録層１５−２に対して記録され、再生されるものとする。データの上層記録層１５−２への記録は、ＨＤＤの製造者に加え、ＨＤＤのユーザで行える。上層記録層１５−２へのデータの記録には、書き込み力が比較的低く、下層記録層１５−１にデータを記録することがなく、上層記録層１５−２のみにデータを記録可能な記録ヘッド８２−２を使用する。このような記録ヘッド８２−２は、一般的なＨＤＤに内蔵されている磁気ヘッドと同様である。
【００５８】
下層記録層１５−１に記録されたサーボ情報と上層記録層１５−２に記録されたデータは、磁気ディスク１の平面図上で重なるので、再生ヘッド８２−１は、サーボ情報とデータの両方を同時に再生する。サーボ情報とデータとで記録周波数が互いに異なるように記録を行うことで、再生ヘッド８２−１が磁気ディスク１から再生した信号からサーボ情報とデータを分離手段で分離することができる。図８に示す例では、ヘッドアンプ部１８３が分離手段の一例を形成している。ヘッドアンプ部１８３は、信号処理を施す周波数帯域が互いに異なるサーボ情報用ヘッドアンプ１８３−１及びデータ用ヘッドアンプ１８３−２を有する。従って、再生ヘッド８２−１が磁気ディスク１から再生した信号を並行してサーボ情報用ヘッドアンプ１８３−１及びデータ用ヘッドアンプ１８３−２で処理することで、サーボ情報とデータの周波数帯域が互いに異なることから再生信号から分離されたサーボ情報をサーボ情報用ヘッドアンプ１８３−１から出力し、再生信号から分離されたデータをデータ用ヘッドアンプ１８３−２から出力することができる。
【００５９】
分離手段の一例であるヘッドアンプ部は、再生ヘッド８２−１が磁気ディスク１から再生した信号が入力される単一のヘッドアンプと、サーボ情報とデータの互いに異なる周波数帯域を利用して、このヘッドアンプの出力をサーボ情報とデータに分離するフィルタを有する構成を有しても良い。この場合、ヘッドアンプ部は、フィルタが出力するサーボ情報を増幅する第１のアンプと、フィルタが出力するデータを増幅する第２のアンプを更に有する構成を有しても良い。
【００６０】
図８の説明に戻るに、サーボ情報ヘッドアンプ１８３−１から出力されるサーボ情報は、制御回路１８７に供給される。制御回路１８７は、例えばＣＰＵ（Central Processing Unit）などのプロセッサで形成可能である。制御回路１８７は、外部からの指示と、サーボ情報用ヘッドアンプ１８３−１からのサーボ情報とに基づいて、磁気ヘッド８２の目標アドレスへのシークや磁気ヘッド８２のトラッキングを行わせるための制御信号を生成し、ヘッド駆動用ＶＣＭ１８４に供給する機能を有する。制御回路１８７が生成する制御信号には、制御回路１８７が再生されたサーボ情報から検知した磁気ヘッド８２の磁気ディスク１上の位置に基づき生成する、ヘッド駆動用ＶＣＭ１８４により磁気ヘッド８２を磁気ディスク１上の目標アドレスまでシークさせる制御信号が含まれる。磁気ディスク１上の磁気ヘッド８２の半径方向の位置及び／または円周方向の位置は、再生されたサーボ情報から上記の如き方法で検知可能である。ヘッド駆動用ＶＣＭ１８４は、制御回路１８７からの制御信号に基づいて磁気ヘッド８２を駆動して移動することで、シーク動作やトラッキング動作を行うヘッド駆動部の一例である。なお、ヘッド駆動部自体は周知であるため、シーク動作やトラッキング動作を実現するために磁気ヘッド８２を駆動する個々の機構などの図示及び説明は省略する。
【００６１】
再生信号処理回路１８５は、データ用ヘッドアンプ１８３−２から出力されるデータに処理を施して外部へ出力する。再生信号処理回路１８５がデータに施す処理は、例えば外部のホスト装置（図示せず）での信号処理に適した再生信号に変換する処理を含んでも良い。一方、記録信号処理回路１８６は、外部から入力された記録するべき信号に処理を施して、磁気ヘッド８２の記録ヘッド８２−２に供給する。記録信号処理回路１８６が外部から入力された信号に施す処理は、例えば磁気ディスク１に記録するのに適した記録信号に変換する処理を含んでも良い。
【００６２】
なお、制御回路１８７は、サーボ情報の信号強度が基準値より高い場合は、磁気ヘッド８２の磁気ディスク１からの浮上量を増加する制御信号を生成してヘッド浮上量制御機構に供給することで、浮上量を高くしてデータの記録または再生を行うようにしても良い。上記の如く、サーボ情報はＳＴＷにより記録されるため、記録信号強度は安定している。このため、再生されたサーボ情報の信号強度が基準値より高い場合は、磁気ヘッド８２の浮上量が例えば設計値より低くなっていることを意味する。従って、この場合は磁気ヘッド８２の浮上量を高くしてデータの記録または再生を行えば、磁気ディスク８２の上層記録層１５−２に対して安定したデータの記録または再生を行うことができる。
【００６３】
一方、制御回路１８７は、サーボ情報の信号強度が基準値より低い場合は、磁気ヘッド８２の磁気ディスク１からの浮上量を減少する制御信号を生成してヘッド浮上量制御機構に供給することで、浮上量を低くしてデータの記録または再生を行うようにしても良い。再生されたサーボ情報の信号強度が基準値より低い場合は、磁気ヘッド８２の浮上量が例えば設計値より高くなっていることを意味する。従って、この場合は磁気ヘッド８２の浮上量を低くしてデータの記録または再生を行えば、磁気ディスク８２の上層記録層１５−２に対して安定したデータの記録または再生を行うことができる。
【実施例】
【００６４】
次に、以下に示す製造方法により磁気記録媒体の一例である磁気ディスクを作製し、評価した結果について、一実施例を説明する。
【００６５】
（磁気ディスクの製造）
外径６５ｍｍ、中央孔２０ｍｍ、厚さ０．８０ｍｍの円盤状ガラス基板を用いて磁気ディスクを製造した。
【００６６】
まず、円盤状ガラス基板を、ＤＣマグネトロンスパッタ装置（アネルバ社製Ｃ−３０４０）の成膜チャンバ内に収容して、到達真空度１×１０−５Ｐａとなるまで成膜チャンバ内を排気した後、このガラス基板の上に、Ｃｒターゲットを用いて層厚１０ｎｍの密着層を成膜した。
【００６７】
この密着層上に、Ｃｏ−２０Ｆｅ−５Ｚｒ−５Ｔａ｛Ｆｅ含有量２０原子％、Ｚｒ含有量５原子％、Ｔａ含有量５原子％、残部Ｃｏ｝のターゲットを用いて１００℃以下の基板温度で、層厚２５ｎｍの軟磁性層を成膜し、この軟磁性層上に層厚０．７ｎｍのＲｕ層を成膜した後、更にこのＲｕ層上に層厚２５ｎｍのＣｏ−２０Ｆｅ−５Ｚｒ−５Ｔａの軟磁性層を成膜することで、軟磁性下地層を形成した。
【００６８】
次に、軟磁性下地層上に、Ｎｉ−６Ｗ｛Ｗ含有量６原子％、残部Ｎｉ｝ターゲットを用いて、層厚５ｎｍのシード層を成膜した後、このシード層上に、第１の配向制御層として、スパッタ圧力を０．８Ｐａとして層厚１０ｎｍのＲｕ層を成膜した。
【００６９】
また、第１の配向制御層を形成するＲｕ層上に、第２の配向制御層として、スパッタ圧力を１．５Ｐａとして層厚１０ｎｍのＲｕ層を成膜した。更に、この第２の配向制御層上に、下層記録層として、９１（Ｃｏ１５Ｃｒ１６Ｐｔ）−６（ＳｉＯ２）−３（ＴｉＯ２）｛Ｃｒ含有量１５原子％、Ｐｔ含有量１６原子％、残部Ｃｏの合金を９１ｍｏｌ％、ＳｉＯ２酸化物を６ｍｏｌ％、ＴｉＯ２酸化物を３ｍｏｌ％｝の磁性層を、スパッタ圧力を２Ｐａとして層厚９ｎｍで成膜した。下層記録層の保磁力は、７０００（Ｏｅ）とした。次に、下層記録層上に、層厚０．３ｎｍの８８（Ｃｏ３０Ｃｒ）−１２（ＴｉＯ２）｛Ｃｒ含有量３０原子％、残部Ｃｏの合金を８８ｍｏｌ％、ＴｉＯ２酸化物を１２ｍｏｌ％｝の非磁性層を成膜した。その後、この非磁性層上に、上層記録層として、９２（Ｃｏ１１Ｃｒ１８Ｐｔ）−５（ＳｉＯ２）−３（ＴｉＯ２）｛Ｃｒ含有量１１原子％、Ｐｔ含有量１８原子％、残部Ｃｏの合金を９２ｍｏｌ％、ＳｉＯ２酸化物を５ｍｏｌ％、ＴｉＯ２酸化物を３ｍｏｌ％｝の磁性層を、スパッタ圧力を２Ｐａとして層厚６ｎｍで成膜した。上層記録層の保磁力は、５０００（Ｏｅ）とした。
【００７０】
次に、上層記録層上に、ＣＶＤ法により層厚３ｎｍの保護層を成膜し、最後に、ディッピング法によりパーフルオロポリエーテルの潤滑膜を保護層上に成膜することにより、上記実施形態における磁気ディスク１を作製した。
【００７１】
（サーボ情報の記録）
次に、作製した磁気ディスク１に、ＳＴＷを用いてサーボ情報を記録した。サーボ情報の記録は、磁気ディスク１の回転数を７２００回転／分として図３に示すサーボパターンを形成した。サーボ情報の記録は、記録周波数を４０ＭＨｚ（周波数帯域±５ＭＨｚ）とし、下層記録層１５−１及び上層記録層１５−２の両層に同時に行い、その後、外部磁場を印加して上層記録層１５−２のみを消去（イレーズ）した。
【００７２】
（磁気ディスクの評価）
本実施例で製造した磁気ディスク１の評価を行った。具体的には、下層記録層１５−１への記録ができない磁気ヘッド８２を用いて、磁気ディスク１の上層記録層１５−２へのリードライト評価を以下の評価条件で行った。
【００７３】
磁気ディスク１の回転数：７２００回転／分
評価ヘッド：ＭＲヘッド
記録周波数：７０ＭＨｚ（周波数帯域±５ＭＨｚ）
磁気ディスク１への記録再生は、下層記録層１５−１に記録されたサーボ情報に基づいて磁気ヘッド８２の位置付けを行いながら行った。その結果、従来の同じトラック密度の磁気ディスクに比べシーク速度が１２％高まり、磁気ディスク１枚あたりのリードライト情報の記録量が２０％高まることが確認された。
【００７４】
これにより、磁気記録媒体の面記録密度と磁気ヘッドのシーク速度を向上することが可能となることが確認された。
【００７５】
以上、情報記録再生方法及び磁気記憶装置を実施形態及び実施例により説明したが、本発明は上記実施形態または上記実施例に限定されるものではなく、本発明の範囲内で種々の変形及び改良が可能であることは言うまでもない。
【符号の説明】
【００７６】
１      磁気ディスク
１１      非磁性基板
１２      軟磁性下地層
１３      第１の配向制御層
１４      第２の配向制御層
１５      垂直磁性層
１５−１  下層記録層
１５−２、上層記録層
１６      磁性層
１７      保護層
１８      潤滑膜
５１      ＨＤＤ
８２      磁気ヘッド
１８３−１      サーボ情報用ヘッドアンプ
１８３−４      データ用ヘッドアンプ
１８４      ヘッド駆動用ＶＣＭ
１８７      制御回路
【図１】
2014035777.tif 000003
【図２】
2014035777.tif 000004
【図４】
2014035777.tif 000005
【図６】
2014035777.tif 000006
【図７】
2014035777.tif 000007
【図８】
2014035777.tif 000008
【図３】
2014035777.tif 000009
【図５】
2014035777.tif 000010